【事件の表示】
　平成１１年特許願第１０７４０４号「材料試験機」拒絶査定不服審判事件〔平成１２年１０月２４日出願公開、特開２０００−２９８０８４〕について、次のとおり審決する。
【結　論】
　本件審判の請求は、成り立たない。
【理　由】
１．本願発明
　本願は、平成１１年４月１５日の出願であって、その請求項１に係る発明は、平成１４年６月２４日付けの手続補正書により補正された特許請求の範囲の請求項１に記載された事項により特定される次のとおりのものである。（以下、「本願発明」という。）
「【請求項１】　互いに対向して配置され、それぞれスイッチ操作によつて開閉する一対のエアチャックと、その一対のエアチャックを相対的に接近／離隔させる駆動機構と、その駆動機構を駆動制御するコントローラを備え、上記各エアチャックにより試験片の両端部を把持した状態で当該一対のエアチャックを離隔させることによって試験片の引張試験を行う材料試験機において、
　上記各エアチャックに対して強／弱２種の把持力を付与すべく高圧／低圧のエアを選択的に供給するエア回路を備えるとともに、上記コントローラは、引張試験のスタート操作に連動して各エアチャックに供給するエア圧を低圧から高圧に切り換え、駆動機構への停止指令の供給に連動して各エアチャックに供給するエア圧を高圧から低圧に切り換えるように上記エア回路を制御することを特徴とする材料試験機。」
　
２．引用刊行物の記載事項
　原査定の拒絶の理由に引用した刊行物１（実公昭６２−６５０６号公報）には、次の事項が記載されている。
（ａ）引張試験機における流体圧作動式チヤツクの安全装置（実用新案登録請求の範囲）
「試験片を把持する流体圧作動式チヤツク機構を備え、前記チヤツク機構によって把持された試験片に試験荷重を加えるようにした引張試験機において、
　前記チヤツク機構の試験片把持位置を被覆することができるように開閉自在に配置された安全ドアと、
　前記チヤツク機構をあらかじめ定めた低圧力で作動させるため、前記チヤツク機構に接続された低圧設定器と、
　前記チヤツク機構をあらかじめ定めた高圧力で作動させるため、チヤツク機構に接続された高圧設定器と、
　前記安全ドアの開閉操作に関連して、前記安全ドアの開放時に前記チヤツク機構を前記低圧設定器に接続し、前記安全ドアの閉止時に前記チヤツク機構を前記高圧設定器に接続するようにした切換機構とを備えて成る引張試験機における流体圧作動式チヤツクの安全装置。」
（ｂ）解決しようとする課題（第１頁左欄２６行〜右欄１４行）
「周知のように、引張試験は、引張試験片の両端を上下一対のチヤツクによつて把持し、把持された試験片に引張試験荷重を加えて行なわれる。この場合、試験片を把持するチヤツク機構は、引張試験中にチヤツクすべり等が発生しないように、試験片を強固に把持するように構成されている。このような引張試験機において、引張試験片を、流体圧作動式チヤツク機構に把持する際、作業者の不注意により、手、指等がはさまれてしまうことがある。この場合、上記するようにチヤツク機構の締付力が強力であるので、大きな災害を引き起こし、きわめて危険なものであった。
　この考案の目的は、上記するような引張試験における試験片の把持操作にみられる危険性を確実に回避すべくなされた引張試験機における流体圧作動式チヤツクの安全装置を提供することにある。」
（ｃ）具体的な実施例（第２頁左欄２行〜右欄２１行、第１〜３図）
「以下、この考案にかかる流体圧作動式チヤツクの安全装置について、図面に示す具体的な実施例にもとづいて説明する。
　第１図は、この考案が適用される引張試験機１の概略的外観を示す正面図である。・・・閉止状態を維持するためのロック機構１０とを備えている。
　一方、この考案の流体圧作動式チヤツクの安全装置に関する流体回路の具体例を第２図にもとづいて説明する。・・・まず、前記低圧設定器１４は、試験片T．Pを仮つかみするに適した低圧力を出力するようにあらかじめ設定された圧力調節バルブによつて構成され、前記高圧設定器１５は、試験片T．Pを本つかみするに適した高圧力を出力するようにあらかじめ設定された圧力調節バルブによつて構成されている。・・・すなわち、上記する実施例によれば、前記安全ドア７が開かれると、前記ドアスイツチ２１が・・・ドアスイツチ２１が閉接点ａに接続され、前記ソレノイド１７が励磁状態となり、前記切換弁１８の通路２０を介して、前記チャック操作弁１１，１２を前記高圧設定器１５に接続する。第３図において、Ｍ．Ｓはメインスイツチ、Ｆはヒユーズをそれぞれ示すものである。」
　そして、第２図には、チヤツク操作弁１１，１２が、それぞれ、チヤツク機構５，６に流体を接続、あるいは非接続、すなわちチヤツク機構を開閉の２つの状態に切換操作できるスイッチ部材が存在することも図示されている。
（ｄ）考案装置の作動（第２頁右欄２２行〜第３頁左欄１行）
「以上の構成に成るこの考案の流体圧作動式チヤツクの安全装置は、以下のように作動する。まず、試験片T．Pをチヤツク機構５，６の試験片把持位置Pに持ち込むためには、前記安全ドア７を開けなければならない。前記安全ドア７を開けると、上記するように、前記チヤツク機構５，６は、切換弁１８の通路１９を介して、低圧設定器１４に接続されるので、前記チヤツク機構５，６に試験片を装着して、チヤツク操作弁１１，１２を操作することによつて、チヤツクは、あらかじめ定めた低圧力で作動し、試験片を低圧で仮つかみする。この場合、作業者があやまつてチヤツクに手、指を差し入れたとしても、チヤツクが低圧で作動するので、大きな災害を未然に防ぐことができる。上記するようにして、試験片を仮つかみ状態で把持した後、安全ドア７を閉じると、前記チヤツク機構５，６は、切換弁１８の通路２０を介して、高圧設定器１５側に接続されるので、ここで始めて試験片Ｔ．Ｐをあらかじめ定めた高圧力で本つかみすることができる。本つかみのための設定圧力は、引張試験中に、チヤツクすべり等が発生しない程度の値にあらかじめ設定されていて、引張試験中の前記試験片を強固に把持できるようになっている。」
　
３．本願発明と刊行物１記載の発明との対比、検討
　刊行物１の引張試験機において試験片を把持するチャック機構を作動させる流体の種類は明記されていないが、引張試験機の分野の技術常識からして、油圧に限られるものではなくエアで作動される場合も包含されていると解される。そして、第２図の図示や作業者の関与したチャック機構５，６への試験片の装着操作についての記載（前記記載（ｄ）参照）と引張試験機の技術常識からみて、一対のチャック機構５，６はそれぞれスイッチ操作によつて開閉されているものと認められるから、刊行物１の引張試験機におけるチャック機構５，６は、本願発明の「互いに対向して配置され、それぞれスイッチ操作によって開閉する一対のエアチャック」に相当する。
　また、刊行物１の引張試験機におけるチャック機構５，６を相対的に近接、離隔し得るクロスヘッド３，４がどのように駆動されてチヤツク機構５，６を相対的に近接、離隔し得るのか、その駆動機構について具体的な記載はないが、引張試験機の分野の技術常識からして当然、チャック機構５，６を相対的に近接、離隔させる駆動機構を駆動制御するコントローラは刊行物１の引張試験機にも具備されていると解される。
　
　そこで、本願発明と刊行物１に記載された発明とを対比すると、両者は、
（一致点）
「互いに対向して配置され、それぞれスイッチ操作によって開閉する一対のエアチャックと、その一対のエアチャックを相対的に接近／離隔させる駆動機構と、その駆動機構を駆動制御するコントローラを備え、上記各エアチャックにより試験片の両端部を把持した状態で当該一対のエアチャックを離隔させることによって試験片の引張試験を行う材料試験機において、
　上記各エアチャックに対して強／弱２種の把持力を付与すべく高圧／低圧のエアを選択的に供給するエア回路を備える材料試験機。」
である点で一致するが、次の点で相違する。
（相違点）
　各エアチャックに供給するエア圧を低圧から高圧に切り換え、また高圧から低圧に切り換えるエア回路の制御が、本願発明では、「上記コントローラは、引張試験のスタート操作に連動して各エアチャックに供給するエア圧を低圧から高圧に切り換え、駆動機構への停止指令の供給に連動して各エアチャックに供給するエア圧を高圧から低圧に切り換えるように上記エア回路を制御する」ものであって、一対のエアチャックを相対的に接近／離隔させる駆動機構を駆動制御するコントローラによって制御されるのに対し、刊行物１に記載された発明では、引張試験機にエアチヤツクの試験片把持位置を被覆することができるように配置された安全ドアを備え、前記安全ドアの開放時に各エアチヤツクに供給するエア圧を高圧から低圧に切り換え、前記安全ドアの閉止時に各エアチヤツクに供給するエア圧を低圧から高圧に切り換えるように制御されるものであって、刊行物１には、一対のエアチャックを相対的に接近／離隔させる駆動機構を駆動制御するコントローラが引張試験のスタート操作に連動して各エアチャックに供給するエア圧を低圧から高圧に切り換え、駆動機構への停止指令の供給に連動して各エアチャックに供給するエア圧を高圧から低圧に切り換えるように上記エア回路を制御することは記載されていない点。
　
　相違点について検討するに、
　刊行物１に「前記チヤツク機構５，６に試験片を装着して、チヤツク操作弁１１，１２を操作することによって、チヤツクは、あらかじめ定めた低圧力で作動し、試験片を低圧で仮つかみする。この場合、作業者があやまつてチヤツクに手、指を差し入れたとしても、チヤツクが低圧で作動するので、大きな災害を未然に防ぐことができる。・・・前記チヤツク機構５，６は、切換弁１８の通路２０を介して、高圧設定器１５側に接続されるので、ここで始めて試験片Ｔ．Ｐをあらかじめ定めた高圧力で本つかみすることができる。本つかみのための設定圧力は、引張試験中に、チヤツクすべり等が発生しない程度の値にあらかじめ設定されていて、引張試験中の前記試験片を強固に把持できるようになっている。」と記載（前記（ｄ）参照）されているとおり、引張試験を行う材料試験機においては、新たな試験片の装着→引張試験実行→試験片の取り外し、との一連の動作を順次行うものである。
　そして、一連の各種駆動を順次に作動させる装置においては、一つの操作を契機として順次に各種駆動が自動的に作動する制御としておくことにより、各種駆動毎に操作や指令を与えるという煩わしさを低減化したり、操作忘れによる機能不全や事故等を防止することは、一般に広く行われていることであって、刊行物１に記載された装置でも、この考えから安全ドアの開閉を契機としてエア圧を高圧から低圧に切換えるようにコントローラに制御させているが、一連の順次の動作は何らかの最初の操作から始まるべきものであるから、安全ドアやその開閉を考えないのであれば、スタート操作を契機として各エアチャックに供給するエア圧を低圧から高圧に切り換え、駆動機構への停止指令の供給に連動して各エアチャックに供給するエア圧を高圧から低圧に切り換えるようにエア回路を制御するよう構成することは当業者が容易になしうることである。
　
４．むすび
　したがって、本願発明は、その出願前に日本国内で頒布された刊行物１に記載された発明および周知慣用技術に基いて当業者が容易に発明をすることができたものと認められるから、特許法第２９条第２項の規定により、特許を受けることができない。
　よって、結論のとおり審決する。